(57)【要約】【課題】ブレーズド格子を用いて形成することによって、光の利用効率が高く、かつ射出光の色度を厳密に制御し、もって、所望の色度を持つ射出光を得ること。【解決手段】本発明の導光板１０によれば、マトリクス状もしくは帯状に配置された各セル６０，６１，６２内にそれぞれブレーズド格子５０，５１，５２が形成され、光源１２から射出される光を、ブレーズド格子によって予め定められた方向に回折し、この回折された光を光射出面１３から射出する導光板において、各セルのうちの少なくとも何れかに、ブレーズド格子を形成する緩斜面と、ブレーズド格子が配置された光射出面もしくは光射出面の対向面１５との成す傾斜角度θ０，θ１，θ２が他のセルのものとは異なるブレーズド格子が形成されている。【選択図】      図３
2006039041.tif 000002
【特許請求の範囲】
【請求項１】
マトリクス状もしくは帯状に配置された各セル内にそれぞれブレーズド格子が形成され、光源から射出される光を、前記ブレーズド格子によって予め定められた方向に回折し、この回折された光を光射出面から射出する導光板において、
前記各セルのうちの少なくとも何れかに、前記ブレーズド格子を形成する緩斜面と、前記ブレーズド格子が配置された前記光射出面もしくは前記光射出面の対向面との成す傾斜角度が他のセルのものとは異なるブレーズド格子が形成されている導光板。
【請求項２】
請求項１に記載の導光板において、
前記傾斜角度の種類が、前記光源から射出される光の主波長の数に対応して存在する導光板。
【請求項３】
請求項１または請求項２に記載の導光板において、
格子ベクトル方向の下流側にあるブレーズド格子の傾斜角度が、上流側にあるブレーズド格子の傾斜角度以上であるか、または下流側にあるブレーズド格子の傾斜角度が、上流側にあるブレーズド格子の傾斜角度以下であるセルが少なくとも一つ存在する導光板。
【請求項４】
請求項１乃至３のうち何れか１項に記載の導光板において、
前記ブレーズド格子の格子間隔が複数存在するセルが少なくとも一つ存在する導光板。
【請求項５】
請求項１乃至３のうち何れか１項に記載の導光板において、
それぞれ単一の格子間隔で配置されたブレーズド格子によって形成されて成る前記各セルのうち、前記格子間隔が、他のセルの格子間隔とは異なるセルが少なくとも一つ存在する導光板。
【請求項６】
請求項１乃至３のうち何れか１項に記載の導光板において、
それぞれ単一の格子間隔で配置されたブレーズド格子によって形成されて成る前記各セルの前記格子間隔が、全て等しい導光板。
【発明の詳細な説明】
【技術分野】
【０００１】
本発明は、ブレーズド格子によって形成された導光板に係り、更に詳しくは、液晶表示装置等の照明装置もしくは表示装置のバックライトに用いるのに好適な導光板に関する。
【背景技術】
【０００２】
通常、透過型の液晶パネルの背面に用いられる照明光源である所謂バックライトには、光源からの光を均一に液晶パネルに導くために、透明樹脂からなる導光板が用いられている。図９の斜視図に示すように、この種の導光板１０に、例えば白色光を発する光源１２が配置されてなる照明装置１４では、導光板１０の端面１１から導光板１０内に入射した光は、導光板１０の平面部を全反射しながら導光板１０内を、おおよそ平均導光方向Ｆに沿って進む。なお、図９は、光源１２として線状の光源を用いた例を示しているが、光源１２の形状は線状に限るものではなく、例えば点状であってもよい。導光板１０の平面部には所々にプリズム１６が設けられ、プリズム１６に当たった光は、図中矢印に示す射出方向Ｅに従って、導光板１０の射出面１３から射出される。
【０００３】
図１０の斜視図に示すように、この照明装置１４の導光板１０の射出面１３の上部に透過型液晶パネル１８を配置し、射出面１３から射出した光を透過させることによって画像を表示する表示装置２４が形成される。図９および図１０に示すように背面にプリズム１６が設けられた導光板１０に係る公知例としては、例えば下記特許文献１がある。また、プリズムを用いない照明装置の例としては、導光板１０の底面に散乱性のドットを印刷することにより、光を拡散射出する方法もある。
【０００４】
一方、光源１２からの光を所望の方向へ効率良く導光させる光学素子として、回折格子が知られている。回折格子の典型的な構成は、等間隔に配置された平行線（格子線）の集合体であり、格子線を濃淡で表現すると振幅型回折格子、凹凸形状で表現すると位相型回折格子となる。
【０００５】
一般に、可視光に対しては、０．５〜２μｍ程度の格子間隔（ピッチ）の回折格子が利用される。位相型回折格子としては、断面形状が矩形状もしくは正弦波状の所謂バイナリー格子が知られているが、より光の利用効率（回折効率）が高く光の射出方向を厳密に制御できるものとして、断面形状が鋸歯状のブレーズド格子がある。
【０００６】
ブレーズド格子を構成する際には、ブレーズド格子の格子間隔に応じて決定される回折光の射出角度と緩斜面による反射光の射出角が同一となるように傾斜角を決定することで、理論的には１００％の回折効率を得ることができる。
【特許文献１】特開平５−２６４８１９号公報
【特許文献２】特許番号第２８６５６１８号公報
【発明の開示】
【発明が解決しようとする課題】
【０００７】
しかしながら、このような従来の導光板では、以下のような問題がある。
【０００８】
すなわち、ブレーズド格子を導光板１０の射出面１３もしくは射出面１３の対向面１５に構成し、光源１２からの光を回折させ、射出面１３から射出させる機能を有する導光板１０を作成すると、ブレーズド格子の光学特性により、射出面１３から損失の少ない光を射出することができる。しかしながら、同時に回折の際の分光作用により、射出光が虹色に見えたり、ある特定の色が観察されたりする。そのため、回折格子を用いた導光板には、別途、拡散板を設けたり、導光板に拡散機能を有する層を一体成型するなどして、得られる射出光の色や光量分布を均一化するのが一般的である。
【０００９】
しかし、導光板に拡散性をもたせることで射出面からの光以外の散乱光が生じたり、拡散層で光の吸収が起こることにより、光の利用効率が低下してしまうという問題がある。
【００１０】
また、光源１２から射出される光の波長によっても、ブレーズド格子の回折作用により得られる射出光の色や、光量が最大となる角度が変化する。小型液晶表示装置のバックライトには白色ＬＥＤ光源や白色ＣＣＦＬ（冷陰極管）光源等が利用されているが、このような白色光を発する光源１２から射出する光のピーク波長である主波長の値、すなわち光源から射出する光の色調は様々である。
【００１１】
例えば、白色ＬＥＤ光源が青の波長と黄の波長にピークをもっている場合、すなわち２つの主波長の値を持っている場合は、その双方の波長の光を射出面１３からバランス良く射出しなければ理想的な色度をもつ白色光を得ることはできない。白色ＬＥＤ光源が赤、青、緑の波長にピークをもっている場合、すなわち３つの主波長の値を持っている場合は、その３つの主波長の光をバランス良く射出面１３から射出する必要がある。しかしながら、回折格子を用いた導光板では、回折作用により分光し、光の波長に応じて射出角度や射出光量が変化するため、射出光の色度を調節することが難しい。
【００１２】
本発明はこのような事情に鑑みてなされたものであり、ブレーズド格子を用いて形成することによって、光の利用効率が高く、かつ射出光の色度を厳密に制御し、もって、所望の色度を持つ射出光を得ることが可能な導光板を提供することを目的とする。
【課題を解決するための手段】
【００１３】
上記の目的を達成するために、本発明では、以下のような手段を講じる。
【００１４】
すなわち、請求項１の発明は、マトリクス状もしくは帯状に配置された各セル内にそれぞれブレーズド格子が形成され、光源から射出される光を、ブレーズド格子によって予め定められた方向に回折し、この回折された光を光射出面から射出する導光板において、各セルのうちの少なくとも何れかに、ブレーズド格子を形成する緩斜面と、ブレーズド格子が配置された光射出面もしくは光射出面の対向面との成す傾斜角度が他のセルのものとは異なるブレーズド格子が形成されている。
【００１５】
従って、請求項１の発明の導光板においては、以上のような手段を講じることにより、射出面から出射される射出光の光量を波長毎に制御することができ、所望の色度の射出光を得ることができる。特に、セル毎にブレーズド格子の傾斜角度を変化させ、各セル毎に射出光のピーク波長や射出角、射出光量を各々独立して決定することで、設計や製造を容易にすることが可能となる。
【００１６】
請求項２の発明は、請求項１の発明の導光板において、傾斜角度の種類が、光源から射出される光の主波長の数に対応して存在する。
【００１７】
従って、請求項２の発明の導光板においては、以上のような手段を講じることにより、光源から射出される光のピーク波長にあわせてブレーズド格子の傾斜角度を調整することができるので、光源からの光を効率良く利用し、射出光の色度調整を行うことが可能となる。
【００１８】
請求項３の発明は、請求項１または請求項２の発明の導光板において、格子ベクトル方向の下流側にあるブレーズド格子の傾斜角度が、上流側にあるブレーズド格子の傾斜角度以上であるか、または下流側にあるブレーズド格子の傾斜角度が、上流側にあるブレーズド格子の傾斜角度以下であるセルが少なくとも一つ存在する。
【００１９】
従って、請求項３の発明の導光板においては、以上のような手段を講じることにより、各セルから一様に連続的で広い範囲の波長の光を射出することができる。すなわち、広範囲にほぼ一様な色度をもつ光を射出することが可能となる。
【００２０】
請求項４の発明は、請求項１乃至３のうち何れか１項の発明の導光板において、ブレーズド格子の格子間隔が複数存在するセルが少なくとも一つ存在する。
【００２１】
従って、請求項４の発明の導光板においては、以上のような手段を講じることにより、様々な方向からブレーズド格子に入射した光を回折し、射出することができ、もって、射出面上の任意の方向に、より高輝度で色度の調節された光を得ることが可能となる。
【００２２】
請求項５の発明は、請求項１乃至３のうち何れか１項の発明の導光板において、それぞれ単一の格子間隔で配置されたブレーズド格子によって形成されて成る各セルのうち、格子間隔が、他のセルの格子間隔とは異なるセルが少なくとも一つ存在する。
【００２３】
従って、請求項５の発明の導光板においては、以上のような手段を講じることにより、様々な方向からブレーズド格子に入射した光を回折し、射出することができ、もって、射出面上の任意の方向に、より高輝度で色度の調節された光を得ることが可能となる。
【００２４】
請求項６の発明は、請求項１乃至３のうち何れか１項の発明の導光板において、それぞれ単一の格子間隔で配置されたブレーズド格子によって形成されて成る各セルの格子間隔が、全て等しい。
【００２５】
従って、請求項６の発明の導光板においては、以上のような手段を講じることにより、格子間隔が異なっていることで生じるブレーズド格子の加工精度の違いによる光学特性の不均一性の問題や、拡散板や偏光板、カラーフィルター等の光学フィルムの微細パターンと、ブレーズド格子との間で不均一にモアレが生じてしまう問題を回避、または低減することが可能となる。
【００２６】
本発明の導光板は、以上のように、ブレーズド格子を用いて形成することによって、光の利用効率が高く、かつ射出光の色度を厳密に制御することが可能となる。
【００２７】
なお、同一の導光板において、形状の異なる回折格子を配置してなる導光板は、特許文献２にも開示されているが、特許文献２の発明は、射出光の輝度と均一性との向上を図ることを目的としており、本願発明のように所望の色度を得ることを目的としていない。特許文献２の発明のように回折格子を用いて射出光を得る場合、回折格子による分光に伴う着色が避けられないが、本発明の導光板は、この着色を回避しつつ、白色の回折光を射出させることができる。
【発明の効果】
【００２８】
本発明によれば、光の利用効率が高く、かつ射出光の色度を厳密に制御することができ、もって、所望の色度を持つ射出光を得ることが可能な導光板を実現することができる。
【発明を実施するための最良の形態】
【００２９】
以下に、本発明を実施するための最良の形態について図面を参照しながら説明する。
【００３０】
なお、以下の各形態の説明に用いる図中の符号は、図９乃至図１０と同一部分については同一符号を付して示すことにする。
【００３１】
まず、ブレーズド格子にレーザー光線のようなコヒーレントな単色光が入射し、回折光が射出する際の光学作用について、ブレーズド格子の立断面を示す図１を用いて説明する。
【００３２】
ブレーズド格子３０は図１に示すように緩斜面４１と急斜面４２とから構成される。１つの緩斜面４１と１つの急斜面４２の底面の長さの和が格子間隔（ピッチ）ｄであり、格子間隔ｄの逆数が空間周波数である。このようなブレーズド格子３０に例えば、底面に対する法線方向に対してαの角度で波長λの単色の入射光４４が入射すると、格子間隔ｄとｍ次回折光の射出角β，波長λの関係式  
ｍｄ＝λ／（ｓｉｎα−ｓｉｎβ）  ・・・式（１）  
から回折光４７の射出角βが一意に決定される。ここでブレーズド格子３０では回折光４７の射出角βと、入射光４４の正反射光の射出角度とが一致するように、緩斜面４１の傾斜角度θを設定することで、回折光４７として非常に高い回折効率をもった射出光を得ることができる。格子間隔ｄを変えることによりレーザー光線等のコヒーレント光を入射した際の回折光４７の角度が変化する。
【００３３】
このようなブレーズド格子３０に白色光が入射した際の光学特性について、図２を用いて説明する。ブレーズド格子３０に底面に対する法線方向から白色光４８が入射すると、この白色光４８の入射角度、白色光を構成する各波長の光、及びブレーズド格子３０の格子間隔ｄに応じて、それぞれの波長の回折光の射出角度が一意に決定され、分光して射出される。
【００３４】
可視光領域の光では、図２のように長波長（例えば赤）の光４９ａは回折角度が大きく射出し、短波長（例えば青）の光４９ｂは回折角度が小さく射出する。また、図２とは異なる角度から白色光を入射すると、上記式（１）に基づいて、分光した回折光は図２の場合とはそれぞれ異なる角度に射出される。
【００３５】
例えば白色光源の主なピーク波長が６３３ｎｍ（赤）、５２０ｎｍ（緑）、および４４２ｎｍ（青）の３種類であり、ブレーズド格子３０の格子間隔ｄが１μｍである場合に、導光板１０の射出面１３に対して垂直な方向にそれらの波長の光を射出するためには、式（１）から、入射光の入射角度αはそれぞれ約３９度、約３１度、および約２６度となる。また、その際に、射出面１３に対して垂直な方向への回折光の光量を最も高めるための条件として、ブレーズド格子３０の傾斜角度θはそれぞれ約１９．５度、約１５．５度、約１３度となる。
【００３６】
ここでこれら３種類のブレーズド格子３０のいずれかの傾斜角度θを変化させることで、そのブレーズド格子３０から射出面１３の垂直な方向に射出する光の光量を調整することができる。
【００３７】
前述の例で波長６３３ｎｍの光を、射出面１３に対して垂直に射出するブレーズド格子３０の傾斜角度θは約１９．５度であったが、その傾斜角度θを変化させることで、垂直方向への波長６３３ｎｍの赤い光を抑えることができ、結果として垂直方向で感じられる光の色度はやや青や緑にシフトしたものとなる。
【００３８】
このように各ブレーズド格子３０の傾斜角度θを調整することで、射出される光の光量を波長毎に調整でき、色度を所望の値に設定することが可能となる。ここで、一般に入射光となる白色光源は各波長の光量が一定ではなく、ピーク値にばらつきがあったり、ピーク波長の周辺部の波長の光も光源毎に異なる量で射出される。また、人間の比視感度特性により同じ光量でも波長が違うことで明るさの認識に違いが出る。そのような現象をも考慮して射出光の色度を決定することが好ましい。
【００３９】
なお、このような機能を導光板１０において実現する際には、導光板１０の屈折率を考慮する必要がある。例えば、屈折率ｎの媒質中を伝搬する光の波長は空気中（屈折率１．０）を伝搬する波長のｎ分の１倍にする必要がある。
【００４０】
（第１の実施の形態）  
上述したような原理を踏まえ、以下に、本発明の第１の実施の形態に係る導光板について説明する。
【００４１】
すなわち、本実施の形態に係る導光板は、マトリクス状もしくは帯状に配置された各セル内にそれぞれブレーズド格子が形成され、光源から射出される光を、ブレーズド格子によって予め定められた方向に回折し、この回折された光を射出面から射出する導光板において、各セルのうちの少なくとも何れかに、ブレーズド格子を形成する緩斜面と、ブレーズド格子が配置された射出面もしくは射出面の対向面との成す傾斜角度が他のセルのものとは異なるブレーズド格子が形成されている。本実施の形態では、何れのセルも、単一の格子間隔でブレーズド格子が配置されており、各セルにおける格子間隔が全て等しい。また、傾斜角度の種類が、光源から射出される光の主波長の数に対応して存在している。
【００４２】
図３（ａ）は、このような導光板１０を射出面１３側から見た上面図の一例であり、図３（ｂ）は、図３（ａ）に示すＡ−Ａ断面に沿った立断面図である。
【００４３】
すなわち、この導光板１０は、図３（ａ）に示すように、マトリクス状に分割したセル６１，６０，６２毎に異なる傾斜角度θ１，θ０，θ２をそれぞれ有するブレーズド格子５１，５０，５２を配置している。そして、何れのセル６１，６０，６２も、等しい格子間隔ｄでブレーズド格子５１，５０，５２を配置している。セルは、Ｘ方向に沿ってセル６０，６２，６１の順で周期的に配置され、Ｙ方向に沿ってセル６２，６１，６０の順で周期的に配置されるようにしている。マトリクスの行または列が１の場合である帯状のセル分布もまた本実施の形態に係る導光板に含まれる。
【００４４】
導光板１０の一端面１１側に配置された白色ＬＥＤ光源等の白色光を発する光源１２は、一般に２〜３種類の特定の波長の光が強く射出され、それらの波長の光が混ざることにより白色もしくは白色に近い色になっている。例えば６３３ｎｍ（赤）、５２０ｎｍ（緑）、および４４２ｎｍ（青）の３種類のピーク波長、すなわち３種類の主波長を持つ光源や、４４２ｎｍ（青）と５８０ｎｍ（黄）の２種類のピーク波長、すなわち２種類の主波長を持ち、その混色で白色を表現する光源が一般的である。このような光源としては、白色ＬＥＤ光源の他に、白色ＣＣＦＬ（冷陰極管）光源がある。したがって、光源１２としては、白色ＬＥＤ光源のみならず、白色ＣＣＦＬ（冷陰極管）光源を用いても良い。
【００４５】
このように、光源１２からの光の波長分布は可視光全域で一様ではなく、２〜３種類の主波長を有しているために、これら主波長の光のみを任意の方向に射出するようにブレーズド格子の傾斜角度θを決定することで、十分に高輝度且つ色度の調節された射出光を得るようにしている。以下では、光源１２から６３３ｎｍ（赤）、５２０ｎｍ（緑）、および４４２ｎｍ（青）の３種類の主波長を持つ光が射出された場合を例に説明する。
【００４６】
光源１２から導光板１０に射出された３種類の主波長（赤（Ｒ），緑（Ｇ），青（Ｂ））を持つ光は、図３（ｂ）に示すように全反射を繰り返すことで導光板１０内を平均導光方向Ｆに向かって伝搬して行く過程でブレーズド格子５１，５０，５２に到達すると、そこで回折されて、射出面１３から射出する。
【００４７】
主波長の種類に合わせて３種類の傾斜角度θ１，θ０，θ２をそれぞれ有するブレーズド格子５１，５０，５２は、それぞれ異なるセル６１，６０，６２内に配置、形成されている。ブレーズド格子５１，５０，５２はそれぞれ赤（Ｒ），緑（Ｇ），青（Ｂ）の光を射出面１３の垂直方向に効率良く射出する機能をもつ。すなわち、傾斜角度θの種類（θ１，θ０，θ２の３種類）が、光源１２から射出される光の主波長の数（Ｒ，Ｇ，Ｂの３種類）に対応して存在している。
【００４８】
ここで、光源１２の波長分布を考慮して各セル６１，６０，６２内のブレーズド格子５１，５０，５２の傾斜角度θ１，θ０，θ２を必要に応じて変化させ、射出面１３の垂直方向における色度の制御を可能とする。
【００４９】
以上説明したように、光源１２から射出される光の主波長の種類に合わせて、導光板１０を３種類のマトリクス状のセル６１，６０，６２に分割し、セル６１，６０，６２毎にブレーズド格子５１，５０，５２の傾斜角度θ１，θ０，θ２を決定することで、設計や製造、光線追跡のシミュレーション等を効率良く行うことができる。なお、マトリクス状でなく、任意の方向に帯状に配置したセルについても同様である。
【００５０】
また、各セル６１，６０，６２は図３（ａ）のように、２次元平面上において規則的に配置されていても良いし、別の法則により配置されていても良い。各セル６１，６０，６２の大きさについても一様でなくても良く、例えば比視感度が低い赤の波長を任意の方向に射出するセル６１については面積を大きくする等するとなお良い。
【００５１】
なお、本実施の形態に係る導光板１０を液晶装置用のバックライト部材として用いる場合、各セル６１，６０，６２の大きさとしては、液晶パネルの画素と導光板のセルとの間で生じるモアレを抑制するために、液晶パネルの各画素と同じか各画素よりも小さい面積にすることが望ましい。また、本実施の形態に係る導光板１０を他の用途に用いる場合でも、人間の眼の解像度より細かい、例えば３００μｍ以下の大きさにすることで各セル６１，６０，６２からの射出光の色が独立して知覚されることを避けることができる。
【００５２】
（第２の実施の形態）  
本発明の第２の実施の形態に係る導光板について以下に説明する。なお、本実施の形態に係る導光板は、第１の実施の形態に係る導光板の変形例であるので、ここでは、第１の実施の形態と同一部分については同一符号を付して示し、異なる点のみを説明する。
【００５３】
すなわち、本実施の形態に係る導光板は、第１の実施の形態に係る導光板において、特に、格子ベクトル方向の下流側にあるブレーズド格子の傾斜角度θが、上流側にあるブレーズド格子の傾斜角度θ以上であるか、または下流側にあるブレーズド格子の傾斜角度θが、上流側にあるブレーズド格子の傾斜角度θ以下であるセルが少なくとも一つ存在する導光板である。
【００５４】
図４（ａ）は、このような本実施の形態に係る導光板の一例を示す立断面図である。なお、図中に示すＸ方向は、格子ベクトル方向に一致する。ここでは、各セル６１，６０，６２に配置されたブレーズド格子５１，５０，５２は、格子ベクトル方向の下流側にあるブレーズド格子の傾斜角度θを、上流側にあるブレーズド格子の傾斜角度θ以上としている。格子間隔ｄは、いずれのセル６１，６０，６２でも同一としている。図４（ｂ）はこの状態を示すために、代表的にセル６１について示した拡大図である。
【００５５】
すなわち、セル６１は、格子ベクトル方向の上流側から３つのブレーズド格子５１（＃１），５１（＃２），５１（＃３）を順に配置してなる。更に、各ブレーズド格子５１（＃１），５１（＃２），５１（＃３）の傾斜角度θ１１，θ１２，θ１３が、この順に大きくなっている（θ１１＜θ１２＜θ１３）。
【００５６】
図４（ｃ）は、本実施の形態の別の例を示すものであって、同様に代表的にセル６１について示した拡大図である。すなわち、この場合、各ブレーズド格子５１（＃１），５１（＃２），５１（＃３）の傾斜角度θ１１，θ１２，θ１３が、この順に小さくなっている（θ１１＞θ１２＞θ１３）。
【００５７】
なお、図４（ｂ）および図４（ｃ）で示すように、同一セル６１内に配置された各ブレーズド格子５１の傾斜角度θが、全て異なる必要はなく、例えば図５（ａ）および図５（ｂ）に示すように、同じ傾斜角度を持つブレーズド格子５１が隣接するようにしても良い。こうすることによっても、格子ベクトル方向の下流側にあるブレーズド格子の傾斜角度θが、上流側にあるブレーズド格子の傾斜角度θ以上（θ１１＜θ１２＝θ１２＜θ１３＝θ１３＝θ１３＜θ１４＝θ１４＜θ１５）であるか、または下流側にあるブレーズド格子の傾斜角度θが、上流側にあるブレーズド格子の傾斜角度θ以下（θ１１＝θ１１＝θ１１＞θ１２＝θ１２＝θ１２＞θ１３＝θ１３＝θ１３）とすることができる。
【００５８】
次に、以上のように構成した本実施の形態に係る導光板の作用について説明する。
【００５９】
前述したように、白色ＬＥＤ光源や白色ＣＣＦＬ光源等の光源１２は、ある特定の波長の光のみを射出するのではなく、ピーク波長の周辺の波長の光も射出する。図６はこのような光源１２の射出光の波長分布の一例を図示したものである。図６の例に示すような光源１２は３つの波長（赤（Ｒ），緑（Ｇ），青（Ｂ））にピークをもっているが、各ピーク波長の周辺の波長の光も射出し、それぞれピークの波長を中心に裾野が広がるように分布する。また、その広がり方はそれぞれ異なっているのが普通である。
【００６０】
このようにある程度波長分布に広がりをもった入射光を射出面１３から任意の方向に射出するには、ブレーズド格子の傾斜角度θは、格子ベクトル方向に沿って一定ではなく、図４および図５に示すように変化しているのが都合がよい。特に、各セル６１，６０，６２内でピークとなる波長に対応する傾斜角度θをもつブレーズド格子を中心として、傾斜角度θが異なるブレーズド格子を連続的に配置するのが好ましい。この場合、入射光の波長により、最適となる傾斜角度θが異なるので、入射光の波長毎の光量分布特性をもとに各波長の光を最適に射出できるよう、同一セル６１，６０，６２内の各傾斜角度（図４（ｂ）、図（ｃ）、図５（ｂ）の場合θ１１〜θ１３、図５（ａ）の場合θ１１〜θ１５）を決定している。
【００６１】
特に、図５（ａ）に示すように、ピーク波長に対応する傾斜角度θ１３をもつブレーズド格子５１（＃４〜＃６）は多く（３個）構成し、光量が減少するに従って同一傾斜角度θを有するブレーズド格子数を減らす（傾斜角度θ１２および傾斜角度θ１４をもつブレーズド格子をそれぞれ２個。傾斜角度θ１１および傾斜角度θ１５をもつブレーズド格子をそれぞれ１個）となお良好な射出光を得ることができる。
【００６２】
ここで、射出光の色度を調節するために、ピーク波長に対応するブレーズド格子（図５（ａ）の場合ブレーズド格子５１（＃４〜＃６））の傾斜角度θ１３を変化させ、それに伴って他の波長に対応するブレーズド格子（図５（ａ）の場合ブレーズド格子５１（＃１〜＃３，＃７〜＃９）の傾斜角度も変化させてやればよい。
【００６３】
このようにブレーズド格子を備えることによって、ある特定の方向（例えば射出面と垂直な方向）だけでなく、その近傍の方向でも近い色度の射出光が得られ、もって、ある程度広い観察領域内で、ほぼ一様な色の射出光を得ることが可能となる。
【００６４】
（第３の実施の形態）  
本発明の第３の実施の形態に係る導光板について以下に説明する。なお、本実施の形態に係る導光板もまた、第１の実施の形態に係る導光板の変形例であるので、ここでは、第１の実施の形態と同一部分については同一符号を付して示し、異なる点のみを説明する。
【００６５】
すなわち、本実施の形態に係る導光板は、第１の実施の形態に係る導光板において、特に、ブレーズド格子の格子間隔が複数存在するセルが少なくとも一つ存在する導光板である。
【００６６】
これを、図７を用いて説明する。図７は、本実施の形態に係る導光板に含まれるあるセルの立断面形状の一例を示している。このセルは、２つのブレーズド格子７０と、２つのブレーズド格子７１とを直列に配置して成り、ブレーズド格子７０の配置間隔ｄ０と、ブレーズド格子７１の配置間隔ｄ１とが異なっている（ｄ０≠ｄ１）。なお、ブレーズド格子７０の傾斜角度θ０と、ブレーズド格子７１の傾斜角度θ１とは同じであっても、異なっていても良い。このように、ブレーズド格子の格子間隔ｄが複数存在するセルを少なくとも一つ備えている。
【００６７】
ブレーズド格子を利用した導光板では、これまでに説明したように入射した光が分光し、波長に応じて異なる角度に回折光が射出する。回折光の射出角度は入射光の入射角度やブレーズド格子の格子間隔ｄによって決定される。そのため、射出面１３上の任意の方向でより高輝度で色度の調節された光を得るためには、例えば図７に示すように、ブレーズド格子の格子間隔ｄを場所により変えることが望ましい。
【００６８】
通常、光源１２からの光はある程度広範囲に射出されるので、導光板１０に形成されたブレーズド格子に対しても様々な角度で入射する。そのため、各波長成分を有した光が様々な角度から入射するので、ブレーズド格子に入射した光のピーク波長と入射角度を考慮して格子間隔ｄを最適化するのが良い。
【００６９】
さらに、導光板１０内で光源１２から近い位置にあるブレーズド格子と離れた位置にあるブレーズド格子とでは全反射を繰り返し到達する光の入射角度がやはり変わるので、位置に応じても格子間隔ｄを最適化するのが良い。これを、図８を用いて説明する。
【００７０】
図８（ａ）および図８（ｂ）は、本実施の形態に係る導光板に含まれるある二つのセルの断面形状の一例をそれぞれ示している。図８（ａ）に示すセルは、３つのブレーズド格子７０を配置間隔ｄ０で配置して成り、図８（ｂ）に示すセルは、３つのブレーズド格子７１を配置間隔ｄ１で配置して成る。そして、配置間隔ｄ０と配置間隔ｄ１とは異なっている（ｄ０≠ｄ１）。なお、ブレーズド格子７０の傾斜角度θ０と、ブレーズド格子７１の傾斜角度θ１とは同じであっても、異なっていても良い。このように、本実施の形態に係る導光板は、必要に応じて、単一の格子間隔で配置されたブレーズド格子によって形成されて成る各セルのうち、格子間隔が、他のセルの格子間隔とは異なるセルが少なくとも一つ設ける。
【００７１】
したがって、本実施の形態に係る導光板によって、射出面１３上の任意の方向で、より高輝度で、かつ色度の調節された光を得ることが可能となる。
【００７２】
以上、本発明を実施するための最良の形態について、添付図面を参照しながら説明したが、本発明はかかる構成に限定されない。特許請求の範囲の発明された技術的思想の範疇において、当業者であれば、各種の変更例及び修正例に想到し得るものであり、それら変更例及び修正例についても本発明の技術的範囲に属するものと了解される。
【００７３】
例えば、上記実施の形態として、ブレーズド格子が導光板の射出面１３の対向面１５に形成され、反射型の回折格子として機能する例を示したが、ブレーズド格子を射出面１３に形成し、透過型の回折格子としても同様の効果を実現することができる。
【図面の簡単な説明】
【００７４】
【図１】ブレーズド格子に入射した単色光の光学作用を説明するためのブレーズド格子の立断面図。
【図２】ブレーズド格子に白色光が入射した際の光学特性を説明するためのブレーズド格子の立断面図。
【図３】本発明の第１の実施の形態に係る導光板の一例を示す平面図および立断面図。
【図４】本発明の第２の実施の形態に係る導光板の一例を示す立断面図。
【図５】同一セル内に配置されたブレーズド格子の詳細例を示す立断面図。
【図６】白色光源からの射出光の波長分布の一例を示す図。
【図７】本発明の第３の実施の形態に係る導光板に含まれるあるセルの一例を示す立断面図。
【図８】異なる格子間隔のブレーズド格子によって形成されたセルの例を示す立断面図。
【図９】導光板が用いられた従来技術の照明装置の斜視図。
【図１０】導光板が用いられた従来技術の表示装置の斜視図。
【符号の説明】
【００７５】
Ｅ…射出方向、Ｆ…平均導光方向、ｄ…格子間隔、α…入射角度、β…射出角、θ…傾斜角度、１０…導光板、１１…端面、１２…光源、１３…射出面、１４…照明装置、１５…対向面、１６…プリズム、１８…透過型液晶パネル、２４…表示装置、３０…ブレーズド格子、４１…緩斜面、４２…急斜面、４４…入射光、４７…回折光、４８…入射光、４９…光、５０，５１，５２…ブレーズド格子、６０，６１，６２…セル、７０，７１…ブレーズド格子
【図１】
2006039041.tif 000003
【図２】
2006039041.tif 000004
【図３】
2006039041.tif 000005
【図４】
2006039041.tif 000006
【図５】
2006039041.tif 000007
【図６】
2006039041.tif 000008
【図７】
2006039041.tif 000009
【図８】
2006039041.tif 000010
【図９】
2006039041.tif 000011
【図１０】
2006039041.tif 000012